(57)【要約】      （修正有）【課題】摺動可能なキャップを有する転写具を提供する。【解決手段】摺動可能なキャップを有する転写具は、ケーシング１０，２０と、芯テープ装置３０と、転写ヘッド組４０と、キャップ７０とを含む。前記転写ヘッド組は前記ケーシングの収容部に制限され、前記転写ヘッド組は転写ヘッド６０を有し、前記転写ヘッドは前記ケーシングの開口部に露出させる。前記キャップは前記ケーシングへ摺動可能に設け、前記キャップは２つの位置にて移動可能である。第１位置が選択されたとき、前記キャップは前記転写ヘッドを覆い、前記転写ヘッドの塵や汚れの付着を保護し、第２位置が選択されたとき、前記転写ヘッドを露出させ、使用状態を形成する。【選択図】図２
0003153793.tif 000002
【実用新案登録請求の範囲】
【請求項１】
摺動可能なキャップを有する塗膜転写具であって、
ケーシングは、収容空間と、収容部とを含み、前記収容部と前記収容空間とは互いに連絡し、前記ケーシングは前記収容部付近場所に開口部を形成し、
芯テープ装置は、前記ケーシングの前記収容空間に収容し、
転写ヘッド組は前記ケーシングの収容部に制限され、前記転写ヘッド組は転写ヘッドを含み、前記転写ヘッドは前記ケーシングの開口部に露出し、
キャップは、前記ケーシングの収容部へ摺動可能に設け、前記キャップは２つの位置に移動可能であり、第１位置が選択されたとき、前記キャップは前記転写ヘッドを覆い、第２位置が選択されたとき、前記転写ヘッドを露出させることを特徴とする摺動可能なキャップを有する塗膜転写具。
【請求項２】
前記ケーシングは前記収容部の付近場所に第１、第２固定部をそれぞれ設け、前記キャップに固定部を設け、前記キャップの固定部は選択により、前記ケーシングの第１、第２固定部に固定し、前記キャップは本体と、少なくとも一つの挟み足を含み、前記挟み足により前記ケーシングにあてがうことを特徴とする請求項１記載の摺動可能なキャップを有する塗膜転写具。
【請求項３】
前記キャップは２本の挟み足を有し、前記固定部は前記キャップの対向表面の前記２本の挟み足の末端部に設け、前記２本の挟み足の軸方向に貫通溝をそれぞれ形成し、前記貫通溝により前記挟み足に弾性を持たせることを特徴とする請求項２記載の摺動可能なキャップを有する塗膜転写具。
【請求項４】
前記転写ヘッド組はさらに第１端部と第２端部を含んだ固定台を有し、前記第１端部は前記ケーシングの収容部に制限され、前記第２端部は前記転写ヘッドに結合し、前記キャップは前記固定台に装着し、前記固定台の第１端部に２つの側壁を設け、前記収容部は前記２つの側壁に対向する底部側は阻止部をそれぞれ設け、２つの側壁は前記ケーシングの阻止部にそれぞれ係止され、前記固定台の第１端部はさらに２つの案内壁を設け、２つの案内壁は前記固定台の端部に設けて、芯テープの方向変換を案内し、前記固定台の両側に突起部をそれぞれ設け、前記突起部は前記側壁付近場所に設け、前記キャップ本体の両側は前記突起部に対応して固定溝をそれぞれ延設し、前記キャップの前記固定溝は前記固定台の突起部に挿着することを特徴とする請求項３記載の摺動可能なキャップを有する塗膜転写具。
【請求項５】
前記転写ヘッド組はさらに第１端部と第２端部を有する固定台を含み、前記第１端部は前記ケーシングの収容部に制限され、第２端部は前記転写ヘッドに結合し、前記キャップは前記固定台に装着し、前記固定台の第１端部に２つの側壁を設け、前記収容部は前記２つの側壁の底部側に対応して阻止部をそれぞれ設け、前記２つの側壁は前記ケーシングの阻止部に係止され、前記固定台の第１端部はさらに２つの案内壁を設け、前記２つの案内壁は前記固定台の端部に取付けて、芯テープの方向変換を案内することを特徴とする請求項１記載の摺動可能なキャップを有する塗膜転写具。
【考案の詳細な説明】
【技術分野】
【０００１】
本考案は塗膜転写具に係わり、特に一種の摺動可能なキャップを有する塗膜転写具に係わる。
【背景技術】
【０００２】
米国特許番号Ｄ４７５７４７号事務用フィルム塗膜転写具（ＦＩＬＭ−ＴＲＡＮＳＦＥＲＲＩＮＧ  ＤＥＶＩＣＥ  ＦＯＲ  ＯＦＦＩＣＥ  ＵＳＥ）において、主に転写キャップを有し、転写キャップはケーシングの底部側に結合し、転写キャップは回転自在に転写ヘッドに締結され、転写キャップは閉めるときに転写キャップに固定するか、またはケーシングの底部側に締結して転写できることが開示されている。
【先行技術文献】
【特許文献】
【０００３】
【特許文献１】米国特許第Ｄ４７５７４７号明細書
【考案の概要】
【考案が解決しようとする課題】
【０００４】
転写キャップの締結方式により転写ヘッドに固定して閉めるか、または転写キャップを底部側の突起点に締結して転写する設計は、磨耗しやすく、摩損した後は転写ヘッドの保護機能が失われるため、この種の締結方式の使い勝手がよくない。
【０００５】
さらに、転写ヘッドの湾曲部は経時使用後に折れやすく、保護機能が失われるばかりでなく、塗膜転写具先端の折れ面がギザギザとなり、美観性を損なう。
【０００６】
本考案人は上記課題を鑑みて、前記の設計課題を確実に解決でき、かつ摺動可能なキャップを有する塗膜転写具の耐用性と利便性を向上し、使用者の期待に満足することを図る。
【課題を解決するための手段】
【０００７】
本考案は上記先行技術課題に対して、一種の摺動可能なキャップを有する塗膜転写具を提供する。
【０００８】
本考案に係る摺動可能なキャップを有する塗膜転写具の前記キャップはケーシングに設け、前記キャップは２つの位置にて移動自在で、選択により転写ヘッドを覆うかまたは露出して、転写ヘッドを保護する。
【０００９】
さらにキャップを第２位置に移動して、転写ヘッドを露出させると共に、前記転写ヘッドの固定溝を前記固定台の突起部に装入し、キャップの揺れによる転写効果への影響を避ける。
【００１０】
加えて、固定台は２つのケーシングでの移動が制限され、安定構造を実現し、ぐらつき移動しない目的を確実に実現できる。
【００１１】
その他目的、長所ならびに本考案の新規性は以下の詳細説明と関連図面を添付することにより、より明確にすることができる。
【考案の効果】
【００１２】
以下の説明内容から、本考案は以下の長所をまとめることができる。
イ、本考案に係る摺動可能なキャップを有する塗膜転写具のキャップは２つのケーシングの間に設け、前記キャップは２つの位置にて移動可能に取付け、選択により転写ヘッドを覆うかまたは露出して、転写ヘッドの塵や汚れの付着を保護できる。
ロ、本考案に係る摺動可能なキャップを有する塗膜転写具のキャップを第２位置に移動して、転写ヘッドを露出させると共に、前記転写ヘッドの固定溝を前記固定台の突起部に装着し、キャップのぐらつきよる転写効果への影響を避けられる。
ハ、本考案に係る摺動可能なキャップを有する塗膜転写具の固定台は２つのケーシングで移動しないため、安定構造を実現し、ぐらつき移動しない目的を確実に実現できる。
【図面の簡単な説明】
【００１３】
【図１】本考案に係る摺動可能なキャップを有する塗膜転写具実施例１の立体外観図。
【図２】本考案に係る摺動可能なキャップを有する塗膜転写具実施例１の立体分解図。
【図３】本考案に係る摺動可能なキャップを有する塗膜転写具実施例１もう一つの視角の立体分解図。
【図４】本考案に係る図１の４−４断面線に沿った断面図であり、キャップが転写ヘッドを覆う状態を示す。
【図５】本考案に係る図４の続き、キャップが２つの位置の間に位置する態様を示す。
【図６】本考案に係る図５の続き、キャップが引き込み転写ヘッドを露出させた態様を示す。
【図７】本考案に係る図１の７−７断面線に沿った断面図であり、キャップが転写ヘッドを覆う状態を示す。
【図８】本考案に係る図７の続き、キャップが２つの位置の間に位置する態様を示す。
【図９】本考案に係る図８の続き、キャップが引き込み転写ヘッドを露出させた態様を示す。
【図１０】本考案に係るキャップが第２位置のとき、転写ヘッドの使用態様図を示す。
【図１１】本考案に係る摺動可能なキャップを有する塗膜転写具実施例２の立体外観図。
【考案を実施するための形態】
【実施例１】
【００１４】
本考案に係る技術、手段ならびに効果は２つの好ましい実施例と図式を合わせて、以下の通り説明する。ただし、本考案の請求範囲はこれらの構造に制限されない。
【００１５】
図１ないし３に、本考案による摺動可能なキャップを有する塗膜転写具実施例１の立体分解図と立体外観図を示す。実施例１による塗膜転写具は、第１ケーシング１０と第２ケーシング２０とを突き合わせて結合し、２つのケーシング１０、２０の間に芯テープ装置３０と、転写ヘッド組４０、転写ヘッド６０と、キャップ７０とを含む。
【００１６】
２つのケーシング１０、２０はそれぞれ第１部位１１、２１と第２部位１２、２２とを含む。第１ケーシング１０の第１部位１１に収容空間１３を形成し、収容空間１３の内部に支え棒１４を設ける。第２ケーシング２０の第１部位２１に収容空間２３を形成し、収容空間２３内部に軸２４を設ける。２つのケーシング１０、２０の収容空間１３、２３に芯テープ装置３０を収容する。芯テープ装置３０の中心部に貫通孔３１を設け、芯テープ装置３０の貫通孔３１を第１ケーシング１０の支え棒１４に装着し、第２ケーシング２０の軸２４を支え棒１４に結合する。
【００１７】
２つのケーシング１０、２０の第２部位１２、２２はそれぞれ開口部１５、２５をそれぞれ形成し、２つのケーシング１０、２０が開口部１５、２５の近端に、対応の第１固定部１６、２６及び対応の第２固定部１７、２７をそれぞれ形成し、開口部１５、２５と収容空間１３、２３との間に収容部１８、２８を形成し、収容部１８、２８は開口部１５、２５の反対端の底部側に阻止部１９、２９をそれぞれ設ける。つまり、２つのケーシング１０、２０は収容部１８、２８の付近場所にそれぞれ第１固定部１６、２６と第２固定部１７、２７とをそれぞれ形成する。２つのケーシング１０ａ、２０の突き合わせ結合部に複数の留め部１０１、２０１をそれぞれ設けることにより、２つのケーシング１０、２０を留めて結合し一体化にする。２つのケーシング１０、２０は２つの釣り合った半分のケーシングからなる。第１ケーシング１０と第２ケーシング２０を突き合わせ接合により、芯テープ装置３０、転写ヘッド組４０とキャップ７０とを収納可能のケーシングを形成する。
【００１８】
転写ヘッド組４０は２つのケーシング１０、２０の間に設け、転写ヘッド組４０は固定台５０と転写ヘッド６０とを含み、固定台５０の一端は２つのケーシング１０、２０の間に備える収容部１８、２８に制限され、他端は転写ヘッド６０に結合して、転写ヘッド６０を２つのケーシング１０、２０の開口部１５、２５から露出する。
【００１９】
図４を参照する。固定台５０は第１端部５１と第２端部５２を含み、固定台５０は細長い形状で弾性を有する。第１端部５１に２つの側壁５１１と２つの案内壁５１２、５１３が設けられ、側壁５１１と２つの案内壁５１２、５１３はそれぞれ固定台５０の第１端部５１と垂直に交差し、第１案内壁５１２と第２案内壁５１３は固定台５０の端部に設け、２つの案内壁５１２、５１３は固定台５０の反対側に設けることにより、芯テープ装置３０を誘導し、芯テープを９０度の方向変換に案内する。固定台５０の両側に突起部５１４をそれぞれに設け、突起部５１４は側壁５１１の付近部に設ける。固定台５０の第１端部５１は２つのケーシング１０、２０の収容部１８、２８に設け、２つの側壁５１１は２つのケーシング１０、２０の阻止部１９、２９に係止して、固定台５０を２つのケーシング１０、２０に制限しておき、固定台５０は２つのケーシング１０、２０での移動が制限され、安定構造を実現し、ぐらつき移動しない目的を確実に実現できる。固定台５０の第２端部５２は転写ヘッド６０に枢設し、転写ヘッド６０の外縁部を固定台５０から露出させ、作業物にあてがう。転写ヘッド６０は弾性部材からなる。芯テープを紙面上に簡単転写できる。本実施例において、転写ヘッド６０はローラーであり、主に転写テープの装着に提供する。
【００２０】
キャップ７０は転写ヘッド組４０に装着する。キャップ７０の本体７１と２本の挟み足７２とを含み、本体７１の軸方向に通路７１１を設け、通路７１１は本体７１の端部を貫通し、本体７１の両側の側面は、単一方向に延びて２本の挟み足７２を形成する。２本の挟み足７２の軸方向は貫通溝７３をそれぞれ設け、貫通溝７３により、挟み足７２に弾性を持たせる。本体７１の両側には貫通溝７３を対向に延ばして固定溝７１２をそれぞれ設け、２つの固定溝７１２は固定台５０の２つの突起部５１４を通すことによりキャップ７０のぐらつきを防止する。挟み足７２の末端に２つの固定部７２１をそれぞれ設ける。２つの固定部７２１は選択により、２つのケーシング１０、２０の第１固定部１６、２６または第２固定部１７、２７に固定する。
【００２１】
図４ないし６を参照する。キャップ７０は転写ヘッド組４０に装着することにより、キャップ７０を２つのケーシング１０、２０での移動を可能にし、キャップ７０の２つの固定部７２１は第１固定部１６、２６または第２固定部１７、２７に固定させ、キャップ７０を２つの位置にて移動し、選択により転写ヘッド６０を覆うかまたは転写ヘッド６０を露出させることができる。キャップ７０が第１位置に選択されたとき、キャップ７０は転写ヘッド６０を覆い、挟み足７２は２つのケーシング１０、２０にあてがい、キャップ７０が２つのケーシング１０、２０より抜け出しを防止する。キャップ７０の２つの固定部７２１は第１固定部１６、２６に固定する。キャップ７０は第２位置に選択されたとき、キャップ７０が引き込んで、転写ヘッド６０を露出させ、２本の挟み足７２は２つのケーシング１０、２０にあてがい、キャップ７０の２つの固定部７２１は第２固定部１７、２７に固定する。なお、第１位置は転写ヘッド６０をキャップ７０が覆う保護位置を、第２位置は転写ヘッド６０をキャップ７０が露出する使用位置を示す。
【００２２】
図７ないし９を参照する。キャップ７０が第１位置に選択されたとき、キャップ７０は転写ヘッド６０に覆い、転写ヘッド６０を保護し、塵や汚れの付着を保護する。キャップ７０が第２位置に選択されたとき、キャップ７０が引き込み、転写ヘッド６０を露出させ使用状態となる。転写作業終了後、キャップ７０の固定溝７１２を固定台５０の突起部５１４に装着して、キャップ７０のぐらつきによる転写品質の影響を避ける。
【００２３】
図１０に本考案に係るキャップが第２位置に選択されたとき、転写ヘッドの使用態様図を示す。キャップ７０を第２位置に移動した後、転写具の転写ヘッド６０を作業対象物の表面に向かって、転写ヘッド６０をその表面にあてがい、芯テープを確実に作業対象物に転写させる。
【実施例２】
【００２４】
図１１に、本考案に係る摺動可能なキャップを有する塗膜転写具実施例２の立体外観図を示す。本実施例は実施例１にほぼ同じであるが、その特徴として、転写ヘッド６０ａは扁平状の頭部を有し、キャップ７０は２つの位置にて移動自在である。第１位置が選択されたとき、キャップ７０は前記転写ヘッド６０ａを覆い、第２位置が選択されたとき、キャップ７０が引き込み、転写ヘッド６０ａを露出させる。本考案に係る実施例２もキャップ７０により転写ヘッド６０ａを保護し、塵や汚れの付着を保護できる。
【００２５】
本考案に係る摺動可能なキャップを有する塗膜転写具はケーシングと、芯テープ装置と、転写ヘッド組と、キャップとを含む。転写ヘッド組は２つのケーシングの収容部に制限され、転写ヘッド組は転写ヘッドを有し、転写ヘッドは２つのケーシングの開口部に露出する。キャップは２つのケーシングの間に設け、キャップは２つの位置にて移動可能である。第２位置が選択されたとき、キャップは転写ヘッドを覆い、転写ヘッドの塵や汚れの付着を保護できる。第２位置が選択されたとき、転写ヘッドを露出させ、使用状態になり、転写作業に提供する。
【００２６】
以上に説明したものは、本考案の好ましい実施例であり、本考案実施の範疇に制限を加えるものではなく、本考案による数値的な変更又は同等の効果を有する要素の置き換え、若しくは本考案の特許請求の範囲による変更又は修整とも本考案の特許範疇に含まれる。
【符号の説明】
【００２７】
１０      第１ケーシング
１０１    留め部
１１      第１部位
１２      第２部位
１３      収容空間
１４      支え棒
１５      開口部
１６      第１固定部
１７      第２固定部
１８      収容部
１９      阻止部
２０      第２ケーシング
２０１      留め部
２１      第１部位
２２      第２部位
２３      収容空間
２４      軸
２５      開口部
２６      第１固定部
２７      第２固定部
２８      収容部
２９      阻止部
３０      芯テープ装置
３１      通し孔
４０      転写ヘッド組
５０      固定台
５１      第１端部
５１１    側壁
５１２    第１案内壁
５１３    第２案内壁
５１４    突起部
５２      第２端部
６０      転写ヘッド
６０ａ    転写ヘッド
７０      キャップ
７１      本体
７１１    通路
７１２    固定溝
７２      挟み足
７２１    固定部
７３      貫通溝
【図１】
0003153793.tif 000003
【図２】
0003153793.tif 000004
【図３】
0003153793.tif 000005
【図４】
0003153793.tif 000006
【図５】
0003153793.tif 000007
【図６】
0003153793.tif 000008
【図７】
0003153793.tif 000009
【図８】
0003153793.tif 000010
【図９】
0003153793.tif 000011
【図１０】
0003153793.tif 000012
【図１１】
0003153793.tif 000013